Podtech/llm-jp-corpus-v4-ja_patent huggingface dataset:
(57)【要約】【課題】駅前などに自転車の放置を防ぐため、路面の形状を自転車が転倒し易い床面を提供する。【解決手段】自転車を駐輪したときに倒れる角度を有した斜度の三角形を連続して並べた階段状の斜面を設けたことを特徴とする床面【選択図】  図１
0003105060.tif 000002
【実用新案登録請求の範囲】
【請求項１】
自転車を駐輪したときに倒れる角度を有した斜度の三角形を連続して並べた階段状の斜面を設けたことを特徴とする床面
【考案の詳細な説明】
【考案の開示】
【技術分野】
【０００１】本考案は、駅前などの道路に自転車の放置を防止する為の路面の形状に関するものである。
【背景技術】
【０００２】従来、駅前などの路上には自転車の不法駐輪を防止するため、進入防止の為の柵や障害物を路上に設置していた。
【考案の開示】
【考案が解決しようとする課題】
【０００３】進入防止柵や障害物を設置することにより、歩行者などの自由な通行の妨げともなっていた。本考案は以上の問題点を解決するためになされたものである。
【問題を解決するための手段】
【０００４】自転車が不法駐輪されそうな一帯の路上の表面を、自転車を立てて置けない程度の傾斜地とする。その形状は断面が、同じ形の三角形を並べることにより出来る波状の連続した傾斜面を設けるものであり、以上のことを特徴とした床面である。
【考案の効果】
【０００５】不法駐輪されそうな一帯の道路の表面を、連続した波状の傾斜地とすることにより、自転車の路上駐輪を防ぎ、しかも自転車の進入防止柵のような障害物を路上に設置するものでは無いので、この上は歩行者が通行出来て通路としての機能が損なわれない。
【考案を実施するための最良の形態】
【０００６】以下、本考案の実施の形態について説明する。
イ、  通常自転車を駐輪する場合は、道に直角の向きで、前方のハンドル部分を道に接す      る壁とか柵に向けた状態で並んで置かれる。したがって、本考案の実施する路面の      範囲は、自転車の前後の長さ以上を縦の長さとして、同じ幅で横に伸びた長方形の      形のベルト帯（４）とする。
ロ、  このベルト帯（４）は、その断面が直角三角形の鈍角部分（１）を上向きにし、斜      辺部分を傾斜面（２）とする三角形を同じ向きに連続して設置した階段状とする。
ハ、  傾斜面（２）の傾斜角度（３）は、スタンド（６）で立っている自転車（５）が転      倒する以上の角度とする。
ニ、  鈍角部分（１）は、その上を歩行者が通行しやすいように丸みを設ける。
【図面の簡単な説明】
【０００７】
【図１】本考案の斜視図
【図２】本考案の断面図
【図３】本考案の実施平面図
【符号の説明】
【０００８】  １  鈍角部分
２  傾斜面
３  傾斜角度
４  ベルト帯
５  自転車
６  スタンド
７  歩道
【図１】
0003105060.tif 000003
【図２】
0003105060.tif 000004
【図３】
0003105060.tif 000005
(57)【要約】【課題】従来の植木鉢用受け皿だと水をあげたときに皿に水が溜まってしまい、根ぐされしてしまう、防止する為に皿の下に水を受ける様にした。【解決手段】植木鉢用の皿１に二重の底を設け、３の部分に穴を開けあげた水のあまりが３を通り２の引き出す事のできる受け皿に溜まる様にした。【選択図】図３
0003105054.tif 000002
【実用新案登録請求の範囲】
【請求項１】
植木鉢用の受け皿を二重底にし二重底の部分に引き出しを設け、その引き出しの中に植木にあげた水を受ける物である。
【考案の詳細な説明】
【技術分野】
【０００１】本考案は植木の根ぐされを防止する為の受け皿に関する。
【背景技術】
【０００２】従来の受け皿は水が溜まってしまい根ぐされをおこしてしまう。
【考案の開示】
【考案が解決しようとする課題】
【０００３】従来の受け皿は植木にあげた水を受ける為の物である。
【課題を解決するための手段】
【０００４】植木鉢用の受け皿を二重底にし二重底の部分に引き出しを設ける。
【考案の効果】
【０００５】従来の植木鉢用の受け皿だと水をあげた時に受け皿に溜まってしまうだけであるが、今回考案した物は底を二重にし、引き出しを設けここに水が溜まる用にした物で，再び底に溜まった水をあげる事ができる。無駄がなくなる物である。
【考案を実施するための最良の形態】
【０００６】従来の受け皿の底を二重にし上の部分に穴をあけ穴から水が落ちる様にし，二重にした部分に引き出せる様にした受け皿を置く。
【実施例】
【０００７】屋外、屋内共に中型から大型の植木鉢に水をあげると受け皿に水が溜まってしまう、その水を捨てなければならない、特に室内の場合皿に溜まった水を捨てる場合植木鉢をいちいちもちあげ水を捨てなければならないが、考案したものは受け皿を引き出し溜まった水を再利用出来る。
【図面の簡単な説明】
【図１】  受け皿と引き出し部分の正面図である。
【図２】  受け皿を上から見た平面図である。
【図３】  受け皿と引き出し部分を右側面から見た断面図である。
【符号の説明】
１  植木鉢受け皿
２  水を溜める引き出し
３  引き出し部分に水を流す為の穴
【図１】
0003105054.tif 000003
【図２】
0003105054.tif 000004
【図３】
0003105054.tif 000005
(57)【要約】【課題】面倒な工作を必要とせず、簡単に壁に取り付けられる神棚を提供する。【解決手段】社を乗せることのできるしっかりした構造で、神棚総体がすでに作られており、天井から吊らなくても良いように、壁に接する壁付板には何個かネジ穴が穿けてあり、石膏ボードも含めた任意の壁にネジで固定できるようにしてある壁取り付け式神棚。【選択図】図１
0003105059.tif 000002
【実用新案登録請求の範囲】
【請求項１】
鉛直に壁に取り付けるための固定ネヂ用の穴が穿けてある高さ約１５ｃｍ、幅６０ｃｍ程の壁付板のほぼ中心線上に、幅、奥行きとも約６０ｃｍの棚板が水平に取り付けてあり、それを支えるための適当な高さの腕木がその下に、壁付板と棚板の間に介在するように取り付けてあり、棚板の奥の方は社を置くスペースがあり、手前には鳥居を取り付けるための差込穴が左右２個穿けてあり、木製の鳥居を差し込んで楔で止めることができるようになっていることを特徴とする壁取り付け式神棚。
【考案の詳細な説明】
【技術分野】
【０００１】  日本の家屋にて使用する神具に関する。
【背景技術】
【０００２】  古くから日本の家屋においては仏壇と神棚があり、仏壇は床の間や押入れの横などの床に設置したが、神棚は部屋の上の天井に近いところに設置した。鴨居と天井の間の壁とか、天井の隅などに取り付けるに当たり、神棚の奥の方を鴨居に引っ掛けるか、壁に細い横木を打ち付けてそれに引っ掛けて止めたりした。神棚の張り出した手前のほうは天井板を支えている天井根太に木の棒を釘打ちして止め、それで吊っていた。【０００３】  従来の日本家屋であれば鴨居があり、天井根太があるので神棚は先ほど述べた吊り棚の方法で簡単に固定することができた。然るに最近の住宅では鴨居や天井根太が無い場合が多く、従来のやり方では神棚を取り付けることができなかった。かといって家を建てるときに予め神棚を設計段階で取り入れることも難しかった。
【考案の開示】
【考案が解決しようとする課題】
【０００４】  面倒な工作を必要とせず、簡単に壁に取り付けられる神棚を提供する。
【課題を解決するための手段】
【０００５】  本考案は上記問題に鑑みてなされたものであり、社を乗せることのできるしっかりした構造で、神棚総体がすでに作られており、天井から吊らなくても良いように、壁に接する板には何個かネジ穴が穿けてあり、石膏ボードも含めた任意の壁に、ネジで固定できるようにしてある壁取り付け式神棚。
【考案の効果】
【０００６】  壁の裏に木が無くても壁面の好きな場所に神棚を固定できる。
【考案を実施するための最良の形態】
【０００７】  壁に取り付ける高さ約１５ｃｍ、幅約６０ｃｍの壁付板のほぼ中心線上に、幅、奥行きとも約６０ｃｍの棚板が水平に取り付けてあり、それを支えるための適当な高さの腕木がその下の壁付板と棚板の間に介在するように取り付けてあり、壁付板には壁に取り付けるためのネジ穴が穿けてある。棚板の奥の方は社を置くスペースがあり、手前には鳥居を取り付けるための差込穴が左右２個穿けてあり、木製の鳥居を差し込んで楔で止めることができるようになっている壁取り付け式神棚。
【実施例】
【０００８】  本考案の神棚を図面に基づいて説明すると、図１はこの神棚を示す斜視図で、図２は正面図、図３は側面図である。壁に取り付ける壁付板１は高さ１５ｃｍ、幅６０ｃｍ、厚さ２ｃｍである。壁へ取り付けるためのネジ穴２が上下４コずつ穿けてある。壁付板のほぼ中心線上に、幅、奥行きとも６０ｃｍ厚さ２ｃｍの棚板３が取り付けてある。図２、図３を見れば解るように、その棚板を支えるために腕木４が壁付板１と棚板３の間に介在するように取り付けてある。【０００９】  棚板の手前の左右に鳥居を立てるための穴５が穿けてあり、その穴に予め用意した鳥居を差込み、楔で止めるようになっている。鳥居の形は地方によって異なるが、それは簡単に取り替えることができる。図４に鳥居を取り付けた状態を示す斜視図が示してある。
【産業上の利用可能性】
【００１０】  鴨居とか天井根太の無い部屋でも壁に簡単に取り付けられる神棚なので、新しい様式の現代の家屋に充分対応できる。
【図面の簡単な説明】
【００１１】
【図１】本考案の神棚を示す斜視図
【図２】正面図
【図３】側面図
【図４】鳥居を取り付けた状態を示す斜視図
【符号の説明】
【００１２】    １  壁付板
２  ネジ穴
３  棚板
４  腕木
５  鳥居を差し込む穴
【図１】
0003105059.tif 000003
【図２】
0003105059.tif 000004
【図３】
0003105059.tif 000005
【図４】
0003105059.tif 000006
(57)【要約】【課題】  印鑑証明書の添付なくして実印の照合及び識別を行う。【解決手段】現在利用中の印鑑素材及び新素材を利用した印鑑の中に本印鑑が実印であることを証する必要な情報を入力したＩＣチップを埋め込み、または既存の実印に前記ＩＣチップを貼付し、読み取り機に通すことにより実印の照合及び識別を行う。【選択図】図１
0003105057.tif 000002
【実用新案登録請求の範囲】
【請求項１】
現在利用中の印鑑素材及び新素材を利用した印鑑１にＩＣチップ２を埋め込んだＩＣチップ印鑑。
【請求項２】
既存の実印３にＩＣチップ２を貼付したＩＣチップ印鑑。
【考案の詳細な説明】
【考案の開示】
【考案が解決しようとする課題】
【０００１】登記関係書類、相続関係書類、自動車登録関係書類等、実印を押印しなければならない書類は未だに多数存在する。実印を押印すると言う事は、印鑑証明書を添付するという事である。印鑑証明書の印影だけで照合する現在の方法では、悪意を持って他者の印鑑証明書を入手した者が全く同じ印鑑を作成し、不正利用する事までは、防止出来ない。つまり、全く同じ印影の印鑑が複数存在した場合、その識別は不可能である。また、住民票、戸籍謄本、登記簿謄本等については、郵送による請求が認められているが、印鑑証明書については、認められていない。更に、印鑑証明書の有効期間が問題となる書類もある。従って、基本的に市町村役場または法務局に印鑑証明書が必要な都度出向かなければならない。印鑑証明書取得のためだけに市町村役場または法務局に出向くのは、手間もかかり、時間的にも大きなロスとなる。今後市町村合併及び法務局の統廃合により遠方まで出向く事も考えられこの手間とロスは更に大きくなる。事実、法務局については、統廃合がかなり進んできている。
【課題を解決するための手段】
【０００２】上記課題を克服するために、書類に押印が必要となる実印に必要な情報を入力したＩＣチップを埋め込み、または既存の実印に貼付し、官公庁の担当者及び弁護士、司法書士、行政書士等書類作成代理権者が読み取り機に通す事により、実印の照合及び識別ができるようにした。
【考案の効果】
【０００３】実印を新規に作成する場合には、現在利用中の素材または新素材にＩＣチップを埋め込み、既存の実印にはＩＣチップを貼付し、読み取りを可能とした。
【産業上の利用可能性】
【０００４】実印の照合及び識別のほか、金融機関届出印に利用する事により、窓口業務スピードアップ及び本人なりすましによる預金引出しの防止にも応用できる。
【図面の簡単な説明】
【０００４】
【図１】ＩＣチップを埋め込んだ印鑑証明機能付き印鑑の斜視図である。
【図２】既存の実印にＩＣチップを貼付した印鑑証明機能付き印鑑の斜視図である。
【符号の説明】
【０００５】１透明な柄の印鑑
２ＩＣチップ
３既存の実印
【図１】
0003105057.tif 000003
【図２】
0003105057.tif 000004
(57)【要約】      （修正有）【課題】携帯ティッシュペーパーを使用したときゴミ箱を探し歩く事なく、むだな時間を使わず、すぐに利用出来て街の美観や環境衛生上の問題も良くなる。【解決手段】携帯ティッシュペーパー袋にセット出来るゴミ袋本体１をペーパー及びゴミ袋取り出し口より取り出して廃棄ペーパー３とその他のゴミ等を入れてゴミ袋蓋２を手前に折り蓋をして、バッグやポケットにしまい、後でゴミ箱に廃棄することにより、街の美化と環境衛生が保たれる。【選択図】図１
0003105051.tif 000002
【実用新案登録請求の範囲】
【請求項１】
ゴミ袋をセットした携帯ティシュペーパー。
【考案の詳細な説明】
【技術分野】
【０００１】  ゴミ袋をセットした携帯用テッシュペーパーに関する。
【背景技術】
【０００２】  従来の携帯ティシュペーパーで、鼻水や痰やその他のゴミ等を、ペーパーで処理してもゴミ袋がなく捨てる場所が少なく、そのままバッグやポケットにいれて汚れるか、外に放置すると刑罰や街の美観や環境衛生的にも大きな問題がある。
【考案の開示】
【考案が解決しようとする課題】
【０００３】  従来のティシュペーパーの袋にセット出きるゴミ袋製作。
【課題を解決するための手段】
【０００４】  現在のティシュペーパー袋にセット出きる寸法の大きさに加工された樹脂防水紙ゴミ袋の製作。
【考案の効果】
【０００５】  都会の、ほこりの多い場所や杉花粉の季節には痰や鼻水が出やすく、またその他のゴミ等の処理に携帯ティシュペーパーを利用する事が多いが、テロ対策の関係で特に都心にはゴミ箱が少なく、処理後のペーパー廃棄に困る事が多い、そんな時携帯ティシュペーパー袋に本考案の樹脂防水加工のゴミ袋がセットされていればゴミ箱を探し歩く事なく、むだな時間を使わず、すぐに利用出来て街の美観や環境衛生上の問題も良くなる効果がある。
【考案を実施するための最良の形態】
【実施例】
【０００６】  図面に従って説明すると〔図１〕携帯テッシュペーパー袋にセット出きる１ゴミ袋本体を〔図２〕４ペーパー及びゴミ袋取り出し口より取り出して〔図１〕３廃棄ペーパーとその他のゴミ等を図のように入れて２ゴミ袋蓋を手前に折り蓋をして、バッグやポケットにしまい、後でゴミ箱に廃棄することにより、街の美化と環境衛生が保たれる。【０００７】  次に応用参考図、応用例の説明として〔図３〕携帯テッシュペーパー裏面図のように袋の中に収納しなくても裏面のポケットにスポンサー広告付きゴミ袋を差し込みセットする事も出きる。
【図面の簡単な説明】
【０００８】
【図１】      セット用ゴミ袋外観図である。
【図２】      ゴミ袋セット携帯ティシュペーパー表面外観図である。
【図３】      ゴミ袋セット携帯ティシュペーパー裏面外観図である。
【符号の説明】
【０００９】    １  ゴミ袋本体
２  ゴミ袋蓋
３  廃棄ペーパー
４  ペーパー及びゴミ袋取り出し口
５  携帯ティシュペーパー袋表面
６  携帯ティシュペーパー袋ポケット側裏面
７  スポンサー広告印刷付きゴミ袋
【図１】
0003105051.tif 000003
【図２】
0003105051.tif 000004
【図３】
0003105051.tif 000005
(57)【要約】〔課題〕注ぎ口のついていない鍋で煮物をした際に、鍋の中の煮物の具を残して煮汁のみを流そうとすると、煮物の具も一緒に流れ出てしまうという難点があった。〔解決手段〕鍋（１）の外側面に注ぎ口（２）を設け、注ぎ口（２）を設けた鍋（１）の部分に穴を開ける、鍋（１）に注ぎ口（２）を設けたのを特徴とする。〔選択図〕図１【実用新案登録請求の範囲】
【請求項１】
鍋の外側面に注ぎ口を設けたのを特徴とした鍋。
【考案の詳細な説明】
【考案の詳細な説明】
【０００１】  〔考案の属する分野〕
本考案は鍋の外側面に注ぎ口を設けた鍋に関するものである。
【０００２】  〔考案が解決しようとする課題〕
注ぎ口のついていない鍋で煮物をした際に、鍋の中の煮物の具を残して煮汁のみ流そうとすると、煮物の具も一緒に流れ出てしまう欠点がある鍋の中の煮物の具は流れ出ないで、煮汁のみが流れ出るように、解決しようとするものである。
【０００３】  〔課題を解決しようとする手段〕
鍋の外側面に注ぎ口を設け、注ぎ口で囲った鍋本体の壁面部分に穴を開けることにより問題を解決する。
【０００４】  〔考案の効果〕
鍋の外側面に注ぎ口を設けたことにより、鍋の中の煮物の具を残して煮汁のみを流すことができる。
【図面の簡単な説明】  〔図１〕
注ぎ口のついた鍋の立体図である。
〔図２〕
注ぎ口のついた鍋の断面図である。
【符号の説明】
１  鍋本体
２  注ぎ口
３  穴
４  取っ手
【図１】
0003105053.tif 000002
【図２】
0003105053.tif 000003
(57)【要約】［課題］  本考案は男性用下履きに陰嚢袋を取り付け，横からの陰嚢はみ出し防止と陰嚢活動補助をする事により男性ホルモン製造に役立つ。［解決手段］  本考案は男性用下履き本体に，股部２を開口し，その開口部に網目織布３もしくは３Ａを開口部２に糸止めもしくはノリ止めにて装着する事により陰嚢が安定し横からのはみ出し防止と陰嚢活動のより男性ホルモン製造に役立つ。［選択図］  図１【実用新案登録請求の範囲】
【請求項１】
男性用下履きに陰嚢収納袋を設け当該収納袋を網目織り構造とし，網目袋の先端部を左右不均衡としたところを特徴とする男性下履
【考案の詳細な説明】
【技術分野】
【０００１】本考案は男性用下履きに網目織袋を取り付けた男性用下履きに関するものである
［背景技術］【０００２】股上の浅い下履きは，陰嚢が左右どちら側かの横からはみ出てしまったりしていた。
［考案の開示］
［考案が解決しようとする課題］【０００３】下履きの股上を深くすると，むれて陰部掻痒症，疥癬，白癬などの病気にかかり易くなり又，太ももに布がまとわり付き運動がしにくくなり陰嚢も締め付けられ陰嚢本来の役目である冷却運動がしにくくなり，男性ホルモンの製造低下を招く訳である。履き心地と陰嚢機能を回復させ前述の欠点を解決しようとするものである。
［課題を解決するための手段］【０００４】本考案は，男性用下履きに網目織りの陰嚢収納袋を取り付ける事により陰嚢本来の役目である冷却運動が活発になり男性ホルモンの製造がスムースになる事と股上の浅い下履きでも陰嚢が横からはみ出す事もなくなり，問題を解決している。
（［考案の効果］）【０００５】上述の様に本考案の網目織り陰嚢収納袋を取り付ける事により従来の男男性性器を隠すだけの下履きでなく，陰嚢の冷却がスムースになる事から男性ホルモンの働きにより男性らしくなる事に役立つ。
（［考案を実施するための最良の形態］）【０００６】男性用下履きの股部分を丸く切取り網目織した布を丸く切り先端部を左右不均衡に丸くし糸止めもしくはノリ止めする事により履き心地が良くなる事はもとより，陰嚢の運動が活発になる事から男性がより男性的になる。
（［実施例］）【０００７】以下添付図面に従って一実施例を説明する。
１は下履き本体，２は本体１の股部を切取り開口した２に網目織布３と３Ａを糸止めもしくはノリ止めする。【０００８】本考案の実施例は上述の如き構成からなるものであるから，下履本体１を下履きとして用いる事は勿論であるが，股部２を切取り網目織布３をもしくは３Ａを取り付ければ終る。
【図面の簡単な説明】
【０００９】［図１］本考案の陰嚢収納袋左下がり付下履の実施例を示す正面図
［図２］本考案の陰嚢収納袋右下がり付下履の実施例を示す正面図
【符号の説明】
【００１０】  １  下履き本体
２  下履き開口部
３  網目織布
【図１】
0003105055.tif 000002
【図２】
0003105055.tif 000003
(57)【要約】      （修正有）【課題】消臭性が高く、環境衛生的に良い蓋つきスコップ型ペット排泄物採取容器の提供。【解決手段】ペットの排泄物が、地面に落ちる前にこしのある消臭性の強い竹炭微粉末入り紙によって製作した、容器本体１を、ペットお尻付近に合わせるか地面において、落下してくる排泄物を砂利や小石が混ざる事無く取り残しも無く環境衛生的に処理する。【選択図】図１
0003105052.tif 000002
【実用新案登録請求の範囲】
【請求項１】
広告印刷できる蓋つきスコップ型ペット排泄物採取容器。
【考案の詳細な説明】
【技術分野】
【０００１】  本考案は消臭紙蓋つきスコップ型ペット排泄物採取容器に関する。
【背景技術】
【０００２】  従来はペット散歩中の排泄物処理現状は、ビニール袋を持ち歩きペットの排泄物をティッシュで拾ってビニール袋に入れて持ち帰るか、市販されている二重袋の内袋に入れて、排泄物を内袋のままトイレに流す方法を取られている
【考案の開示】
【考案が解決しようとする課題】
【０００３】  従来の方法では、ペットは排泄物を土の上や砂利の上や草の上などコンクリートの上より、やわらかい所を好む傾向にあるので、ティッシュで拾うと草や砂利小石がまざって取りにくく、草や小石の混ざった排泄物では持ち帰りトイレに流すことはできない。
また排泄物は常に硬いわけでもなく取り残しがあったりして迷惑をかけるが、排泄物をごみ収集の日まで放置保管しておくのは臭気も強く、非衛生的であるのでペット散歩後すぐにトイレに流したい。
取り残し等を放置することはペットがあふれている昨今、ペット飼い主のモラルの問題だけでなく近隣への迷惑及び環境衛生面に於いても大きな問題である。
【課題を解決するための手段】
【０００４】  本考案はペットの下に落ちた排泄物を拾うのではなく地面に落ちる前に採取する容器で、こしの強い消臭性のある竹炭微粉末入り紙を使用しトイレに流すことも出来、なお利用性を高めるため広角の扇スコップ型とし処理後は蓋が出来るようにした。
【考案の効果】
【０００５】  本考案は下に落ちたペットの排泄物を拾うのではなく、地面に落ちる前に採取する容器であり、取り残しも無く小石や草や砂利も混ざらず竹炭微粉末入り紙を利用している為に消臭性もよく、環境衛生的によい効果がある。
【考案を実施するための最良の形態】
【実施例】
【０００６】  本考案の図面に従って説明する、〔図１〕の１は消臭性を良くするために微竹炭紛末入り用紙を利用した容器本体で２は広角の口及び蓋とし３は排泄物採取後の蓋を固定するツメで４はツメを固定する為の引っ掛け切り込み穴であり５は環境衛生月間などにスポンサー名を印刷し商品代を無料にし配布する為のスペースで構成されている。【０００７】  〔図２〕は実施例でペットの排泄物採取参考図で６ペットお尻面と７排泄物でペットの排泄物が地面に落下する前に、ペットのお尻付近に合わせるか地面において落下してくる排泄物を砂利や小石が混ざる事無く採取できる。
【図面の簡単な説明】
【０００８】
【図１】  容器本体正面図である。
【図２】  ペット排泄物採取参考図である。
【符号の説明】
【０００９】１  容器本体
２  蓋
３  ツメ
４  ツメかけ切り込み穴
５  スポンサー名印刷部
６  ペットお尻面
７  排泄物
【図１】
0003105052.tif 000003
【図２】
0003105052.tif 000004
(57)【要約】【課題】  プラスチックヒンジでは対応できない金具蝶番において、対象物の美観を損なわず取付け方法が多用に対応でき、扉等の開閉範囲をより広げられるような蝶番を提供する。【解決手段】  軸体１を回動可能状に囲む筒体２とこれを対象物に固定する羽根３とから構成される蝶番において、２本の互いに平行な軸体１ａ，１ｂ及び筒体２ａ，２ｂを一体に連結し、各々の該軸体の延長箇所に該筒体の幅に略等しい羽根３ａ，３ｂを形成して、本考案の二軸蝶番とする。  また、本考案に用いられる筒体２（２ａ，２ｂ）については、二本の軸入れ用空洞を有する一体化物である場合をも含み、その場合に望ましくは、２本の互いに平行な軸体１ａ、１ｂ及び筒体２ａ、２ｂが一体に連結された当該部分の少なくとも片面が平坦状であるようにする。【選択図】    図１
0003105058.tif 000002
【実用新案登録請求の範囲】
【請求項１】
軸体を回動可能状に囲む筒体とこれを対象物に固定する羽根とから構成される蝶番において、２本の互いに平行な軸体及び筒体を一体に連結し、各々の軸体の延長箇所に該筒体の幅に略等しい羽根を形成したことを特徴とする二軸蝶番。
【請求項２】
２本の互いに平行な軸体及び筒体が一体に連結された部分の少なくとも片面が平坦状である請求項１記載の二軸蝶番。
【考案の詳細な説明】
【技術分野】
【０００１】  この考案は、可動範囲を広げ取付けを容易かつ多用にした二軸蝶番に関する。
【背景技術】
【０００２】  軸体１を軸にしてその周りを一対の筒体２でそれぞれ回動できるように囲み、各筒体２の側方には蝶羽状の羽根３と称するものを形成してそこに対象物固定用のビス止め孔４を形成した金具の蝶番は従来よりよく知られている（図４）。【０００３】  他にポリプロピレンなどのプラスチックに細溝を設けてその溝底部で折り曲げられるようにした蝶番（ヒンジ）もよく見受けられるが、これは比較的強度や耐久性を要しない箇所に用いられている。
【考案の開示】
【考案が解決しようとする課題】
【０００４】  上記のような回転軸を有する金具の蝶番の場合、羽根３の部分は対象物に固定させる機能を担うために、どうしてもビス止め孔４を穿つなど所定の面積を必要とするものであり、従って蝶の羽根のように大きく横に広がった形状になるのは宿命的なものであるとの固定観念が定着し、今日に至るまでその基本的形態は何ら変わることがなく、取付けの都合上、その幅をできるだけ細くしたくても、そこには自ずから限界があった。【０００５】  また取付けの際には、ドアと柱など取付け対象物間に適度の平行な隙間を保持しつつその隙間位置に軸が来るように蝶番を固定する必要があり、ともすればこぐちなどがかち合うためそこを削り取らねばならず、或いは可動範囲が最大２７０°止まりであるなどの問題点があった。【０００６】  本考案はかかる問題点を解決して、取付け方法がより多用に対応でき、扉などの開閉が一層自由にできる蝶番を提供することを課題とする。
【課題を解決するための手段】
【０００７】  軸体１を回動可能状に囲む筒体２とこれを対象物に固定する羽根３とから構成される蝶番において、２本の互いに平行な軸体１ａ，１ｂ及び筒体２ａ，２ｂを一体に連結し、各々の該軸体の延長箇所に該筒体の幅に略等しい羽根３ａ，３ｂを形成して、本考案の二軸蝶番とする。【０００８】  なお、本考案に用いられる筒体２（２ａ，２ｂ）は、図２或いは図３に示したように、二本の軸入れ用空洞を有する一体化物である場合をも含む。その場合には、２本の互いに平行な軸体１ａ、１ｂ及び筒体２ａ、２ｂが一体に連結された当該部分の少なくとも片面が平坦状であることが好ましい。【０００９】  本考案の二軸蝶番の使用方法は、基本的には在来の蝶番と同様である。すなわち羽根３ａ，３ｂに設けられているビス止め孔４で対象物にビス止めする。
【考案の効果】
【００１０】  本考案の二軸蝶番によれば、在来の蝶番のように、軸部を取付けの二つの対象物間に有する隙間部に正確に合わせて固定する必要がなく、ビス止めした箇所が即、回転軸となるから、取付け時の回転状況がよく把握でき、二軸回転によりこぐち箇所がぶつかるのも回避できるので、取付け方法がより多用に対応できるようになる。また、回転角度も在来の２７０°止まりであったのが３６０°まで広がり、反対側にも回るなど、取付けた扉や蓋が今までにない状態で開閉でき、扉を連結して外部への飛び出しを抑えたり蝶番を外側に出さないようにできるなどの効果がある。
【考案を実施するための最良の形態】
【００１１】  本考案の二軸蝶番の形状は、ちょうど在来の蝶番の軸部を二本、平行に連結した形態を呈するものであり、従ってその最良の形態も在来蝶番の軸部に準ずるものをその中央で平板状に連結したものとなる。しかしながらビス止めする羽根はそれぞれ図面に示したように軸部の延長に形成することとし、またそれは予め軸体と一体に固定形成される。
【産業上の利用可能性】
【００１２】  本考案の二軸蝶番は、ドア、仏壇、家具など、プラスチックヒンジでは対応できず、しかも周りの状況やスペース、美観などの制約があるような場合でも、丈夫な金具の蝶番でこれに多用に対応でき、また従来の蝶番の製作技術で提供できるから、産業上の利用可能性は十分であるといえる。
【図面の簡単な説明】
【００１３】
【図１】本考案一例の平面図
【図２】図１のＡ−Ａ端面図
【図３】別例同箇所の端面図
【図４】在来蝶番例の平面図
【符号の説明】
【００１４】  １（１ａ，１ｂ）……軸体
２（２ａ，２ｂ）……筒体
３（３ａ，３ｂ）……羽根
４……ビス止め孔
【図１】
0003105058.tif 000003
【図２】
0003105058.tif 000004
【図３】
0003105058.tif 000005
【図４】
0003105058.tif 000006
(57)【要約】      （修正有）【課題】単一の器具で食材とスープの両方に対応できる料理用器具を提供する。【解決手段】器具本体のすくい部に穴を形成した。【選択図】図１
0003105083.tif 000002
【実用新案登録請求の範囲】
【請求項１】
器具本体のすくい部の上部に穴を形成した調理用器具。
【考案の詳細な説明】
【技術分野】
【０００１】  本考案は、１個の器具で食材と液体の両方、又は食材のみをすくい易いようにした料理用器具である。
【背景技術】
【００２】  従来の料理用器具の例えばおたま（御玉杓子）は、食材と液体を同時にすくうための穴の設けられていないものと、食材のみをすくうための穴の設けられているものがある。
【考案の開示】
【考案が解決しようとする課題】
【００３】  本考案は、単一の器具で食材とスープの両方に対応できることで、使い勝手等が良い。
【課題を解決するための手段】
【００４】  本考案は、料理用器具の上部に穴を形成し、従来品の欠点を解決している。
【考案の効果】
【０００５】  本考案は、料具用器具たるおたま、れんげ、スプーン等の上部に穴を形成したことで、単一の器具で食材と液体たるスープを同時にすくうことができるは勿論のこと、上部に形成された穴より液体を流出させることで食材のみをすくうことが可能になった。このように従来のようなそれぞれ２個の器具を必要としないため、購入費用が安く、且つ収納スペースも小ですみ、また単一の器具であるからまちがうことがなく使い勝手が良い等、多くの利点を有する。
【実施例】
【０００６】  本考案の実施例を図面で説明すると、図１は器具たるおたまを示すもので、１は器具本体、２はすくい部でその上部周辺に穴３が形成されている。【０００７】  図２は別実施例の器具たるレンゲを示すもので、１Ａは器具本体、２Ａはすくい部でその上部一側に穴３Ａが形成されている。【０００８】  図３は別実施例の器具たるスプーンを示すもので、１Ｂは器具本体、２Ｂはすくい部でその上部１側に穴３Ｂが形成されている。
【図面の簡単な説明】
【０００９】
【図１】  本考案のおたまの斜視図である。
【図２】  本考案のレンゲの斜視図である。
【図３】  本考案のスプーンの斜視図である。
【符号の説明】
【００１０】１、１Ａ、１Ｂ      器具本体
２、２Ａ、２Ｂ      すくい部
３、３Ａ、３Ｂ      穴
【図１】
0003105083.tif 000003
【図２】
0003105083.tif 000004
【図３】
0003105083.tif 000005
(57)【要約】【課題】  この考案は、誰もが簡単に左右両腕の袖口部、及び左右両足の裾口部に設けた袋状部を、表裏反転させて、被覆する事が出来る、パジャマ等の乳幼児用衣服を開発・提供する事にある。【解決手段】  この考案は、乳幼児用のパジャマ等の上衣・ズボン、又は上下衣服において、袖口及び裾口部に、布地でこれら袖口・裾口に沿って適宜な長さと適宜な幅を有する袋状部を設け、これら各袋状部の長さ方向の横辺を袖口に、隣接する縦辺をそれぞれ袖・裾に縫着したものである。【選択図】  図２
0003105088.tif 000002
【実用新案登録請求の範囲】
【請求項１】
乳幼児用のパジャマ等の上衣・ズボン、又は上下衣服において、袖口（１’）及び裾口部（２’）に、布地でこれら袖口・裾口に沿って適宜な長さと適宜な幅を有する袋状部（１ａ）（１ａ）・（２ａ）（２ａ）を設け、これら各袋状部の長さ方向の横辺（Ｘ）を袖口に、隣接する縦辺（Ｙ）（Ｙ’）をそれぞれ袖・裾に縫着し、使用時に袋状部を反転可能にした事を特徴とする乳幼児用の衣服。
【考案の詳細な説明】
【技術分野】
【０００１】
この考案は、左右両腕の袖口部、及び左右両足の裾口部に袋状部を設けた、パジャマ等の乳幼児用衣服に関するものである。
【背景技術】
【０００２】
従来、パジャマ等の衣服は、乳幼児用に限らず大半が左右両腕の袖部、及び左右両足の裾部は、両手・両足が通せる様に穴が設けられているのが一般的である。その為、特に一日中寝る事が中心となる乳幼児にとっては、ちょっとした油断から風邪を引かせてしまう事が多々ある。
【０００３】
しかし、そうかといって、毛布や布団を掛けると、返って暑すぎて、汗を掻いたりして逆効果に成る場合あり、身体の温度調節がなかなか思う様に成らない等の問題が有った。
【０００４】
そこで、これまでに寒さ対策用に発明された子供用のオーバーオール・ズボンを参考の為に紹介する。（参考文献１を参照。）
【特許文献１】特開平１０−２９８８０６
【考案の開示】
【考案が解決しようとする課題】
【０００５】
そこで、この考案は、上記課題を達成する為に、誰もが簡単に左右両腕の袖口部、及び左右両足の裾口部に設けた袋状部を、表裏反転させて、被覆する事で防寒対策が出来る、パジャマ等の乳幼児用衣服を開発・提供する事にある。
【課題を解決するための手段】
【０００６】
この課題を解決する為の手段として、この考案は、袖口及び裾口部に、布地でこれら袖口・裾口に沿って適宜な長さと適宜な幅を有する袋状部を設け、これら各袋状部の長さ方向の横辺を袖口に、隣接する縦辺をそれぞれ袖・裾に縫着したものである。
【考案の効果】
【０００７】
この考案の効果として、パジャマ等の乳幼児用衣服の左右両腕の袖口部、及び左右両足の裾口部に設けた袋状部を、表裏反転させて被覆する事により、転寝による寝冷え防止や、寒い冬時季の防寒対策に役立つ。
【０００８】
又、誰でも簡単に、左右両腕の袖口部、及び左右両足の裾口部に設けた袋状部を、表裏反転させて被覆する事で、身体を保温する。又、簡単に元の状態に戻せる為、環境温度に俊敏に対応出来る等、極めて有益なる効果を奏するものである。
【考案を実施するための最良の形態】
【０００９】
この考案の最良の形態は、パジャマ等の乳幼児用衣服の左右両腕の袖口部、及び左右両足の裾口部に設けた袋状部の深さ寸法を、誰もが簡単に反転可能で、しかも、寝返り等では簡単には外れ難い適度な寸法に設定する事が重要である。
【実施例１】
【００１０】
次に、この考案の一実施例を図１〜図３に基づいて詳述すると、乳幼児用のパジャマ等の上衣・ズボン、又は上下衣服において、袖口（１’）及び裾口部（２’）に、布地でこれら袖口・裾口に沿って適宜な長さと適宜な幅を有する袋状部（１ａ）（１ａ）・（２ａ）（２ａ）を設け、これら各袋状部の長さ方向の横辺（Ｘ）を袖口に、隣接する縦辺（Ｙ）（Ｙ’）をそれぞれ袖・裾に縫着し、使用時に袋状部を反転可能にした事を特徴とする乳幼児用の衣服から構成される。
【００１１】
次に、この考案の乳幼児用の上・下衣服の素材について説明すると、乳幼児の肌に直接触れても、肌に優しく、且つ、保温性の優れた綿布を２枚重ねにして用いた。
【００１２】
又、図１（Ａ）・図２（Ａ）に示す様に、上衣前身頃の係止手段としては、簡単に誰でも係止可能で、且つ、安全な綿紐（１ｂ）を使用している。又、上衣（１）は、首部から前身頃を経由して裾部に至る全縁部、及び左右両袖口（１’）全周部と袋状口部には、幅が約１０ｍｍ程度の綿製の巻布（１ｃ）（１ｄ）（１ｅ）を巻き当てて縫着している。
【００１３】
又、上衣袖口部（１’）に沿って設けた袋状部（１ａ）は左右共、裏面側に設け、又、絵柄も上衣本体部と同一のものを使用している為、通常、前側から見ても目立たない様に成っていて、袋状部（１ａ）の縦辺（Ｙ）（Ｙ’）寸法は、約７０ｍｍ程度である。
【００１４】
次に、図１（Ｂ）・図２（Ｂ）に示す、下衣（２）について説明すると、下衣の左右裾裏面部には、上衣（１）と同様の絵柄を用いて、裏面側に縦辺（Ｙ）（Ｙ’）寸法が約７０ｍｍ程度の袋状部（２ａ）を設けている。又、下衣（２）の左右両裾口部（２’）と袋状口部には、幅が約１０ｍｍ程度の綿製の巻布（２ｂ）（２ｃ）を巻き当てて縫着している。
【００１５】
次に、この考案の使用方法について説明すると、図４に示す様に、予め上衣（１）の左右両袖口部と、下衣の左右両裾口部の袋状部（１ａ）（１ａ）・（２ａ）（２ａ）を裏返しに反転させて、両手及び両足が外にはみ出ない様にした後に、上衣と下衣を乳幼児（Ｂ）に着用させるか、或いは、上衣（１）と下衣（２）を乳幼児（Ｂ）に着用した後、左右・上下の袋状部（１ａ）（１ａ）・（２ａ）（２ａ）を裏返しに反転させて用いても構わない。
【００１６】
又、上衣・ズボン、又は上下衣服の袋状部（１ａ）（２ａ）は、季節や環境温度に応じて適宜使用するもので、当然必要の無い時には使用しないで、通常の衣服として着用する事も出来る。
【産業上の利用可能性】
【００１７】
この考案の乳幼児用の衣服は、左右両腕の袖口部、及び左右両足の裾口部に設けた袋状部を、表裏反転させて被覆する事により、転寝による寝冷え防止や、寒い冬時季の防寒対策に役立つ為、乳幼児を持つ多くの家庭に寄与する点で、産業上の利用可能性を有する。
【図面の簡単な説明】
【００１８】
【図１】この考案の一実施例を示し、（Ａ）は上衣の正面図で、（Ｂ）は下衣の正面図である。
【図２】この考案の一実施例を示し、（Ａ）は上衣の裏面図で、（Ｂ）は下衣の裏面図である。
【図３】この考案の一実施例を示し、（Ａ）は図２（Ａ）のａ−ａ矢視拡大詳細図（反転前と反転後）で、（Ｂ）は図２（Ｂ）のｂ−ｂ矢視拡大詳細図（反転前と反転後）である。
【図４】この考案の使用例を示し、上衣及び下衣の左右袋状部を、裏返しに反転させた時の正面図である。
【符号の説明】
【００１９】
１  上衣
１’  袖口部
１ａ  袋状部
１ｂ  綿紐
１ｃ  巻布
１ｄ  巻布
１ｅ  巻布
２  下衣
２’  裾口部
２ａ  袋状部
２ｂ  巻布
２ｃ  巻布
Ｂ  乳幼児
Ｘ  横辺
Ｙ  縦辺
Ｙ’  縦辺
【図１】
0003105088.tif 000003
【図２】
0003105088.tif 000004
【図３】
0003105088.tif 000005
【図４】
0003105088.tif 000006
(57)【要約】【課題】  人の肌に直接触れる救命胴衣の部分を快適で、汗をかいても通気の良い救命胴衣を提供しようとするものである。【解決手段】  上記目的を達成するために、本考案の救命胴衣は首周りにメッシュ生地を付属させた。【選択図】  図１
0003105085.tif 000002
【実用新案登録請求の範囲】
【請求項１】
首周りＡにメッシュが付属している救命胴衣
【考案の詳細な説明】
【技術分野】
【０００１】  本考案は釣りなどマリンレジャー時に着用する救命胴衣に係るものである。
【背景技術】
【０００２】  夏場は特に首周りに汗をかく。Ｔシャツやトレーナーなど、首周りに襟がない衣類を着用して救命胴衣は着用した場合、従来の救命胴衣は着用している人の首周りの肌に直接、救命胴衣の生地が当たり不快であるとともに暑い。
【課題を解決しようとする課題】
【０００３】  人はマリンスポーツや釣りなどを長時間することが多く、救命胴衣はなるべく快適なものが良い。従来のものであると、人の首周りの肌に直接、救命胴衣の生地が触れ不快であり、また汗をかいた際は更に不快で暑く、やる気を喪失させる虞があった。
【０００４】  本考案は、従来の技術の有するこの様な問題点に鑑みてなされたものであり、その目的とするところは、人の肌に直接触れる救命胴衣の部分を快適で、汗をかいても通気の良い救命胴衣を提供しようとするものである。
【課題を解決するための手段】
【０００５】  上記目的を達成するために、本考案の救命胴衣は、首周りＡにメッシュ生地を付属させた。
【考案を実施するための最良の形態】
【０００６】  救命胴衣を着用した際に肌に触れる部分、首周りＡ部にメッシュ生地を縫い付けた。
【考案の効果】
【０００７】  救命胴衣は常時着用しなければ安全は確保できない。本考案の救命胴衣は首周りのメッシュにより、首周りの肌触りが良くなると共に通気が良くなることで、夏場の暑い時でも長時間救命胴衣を着用することが出来、不快さから救命胴衣を脱いでしまう確率が減る。
【図面の簡単な説明】
【図１】本考案の救命胴衣の正面図である。
【図２】本考案の救命胴衣の背面図である。
【図３】本考案の救命胴衣の右側面図である。
【図４】本考案の救命胴衣の平面図である。
【図５】本考案の救命胴衣の底面図である。
【符号の説明】
Ａ  本考案の救命胴衣の首周りのメッシュ
Ｂ  本考案の救命胴衣の背中部メッシュ
Ｃ  本考案の救命胴衣のベルト
Ｄ  本考案の救命胴衣のベルトのバックル
【図１】
0003105085.tif 000003
【図２】
0003105085.tif 000004
【図３】
0003105085.tif 000005
【図４】
0003105085.tif 000006
【図５】
0003105085.tif 000007
(57)【要約】      （修正有）【課題】調理中の接触による火傷を防ぎ、調理後の移動を簡便にし、鍋敷を使用しなくても、テーブルに設置できる。又、保温効果が高いので、料理が冷めにくくなる専用安全鍋を提供する。【解決手段】ＩＨ誘導加熱方式を利用し、外装を加熱せず、内装の金属を直接過熱させる事により、より安全に調理する事を可能とする。【選択図】図１
0003105084.tif 000002
【実用新案登録請求の範囲】
【請求項１】
外装を断熱構造とする加熱調理器具
【考案の詳細な説明】
【考案の詳細な説明】
【技術分野】
【０００１】この考案は、ＩＨ誘導加熱方式を利用する事により、安全に調理を行なえる鍋、かま、やかん、フライパンである。
【背景技術】
【０００２】  従来、この種の調理器具は、調理中に外装を触ると火傷をする危険性が高く、調理後移動する際も、鍋つかみ等を使用しなければならなかった。又、保温性能も低く、冷めやすかった。
【考案が解決しようとする課題】
【０００３】  外装を断熱構造とする事により、調理中の接触による火傷を防ぎ、調理後の移動を簡便にし、鍋敷を使用しなくても、テーブルに設置できる。又、保温効果が高いので、料理が冷めにくくなる。
【考案を解決するための手段】
【０００４】  ＩＨ誘導加熱方式を利用し、外装を加熱せず、内装の金属を直接過熱させる事により、より安全に調理する事が可能となる。
【考案の効果】
【０００５】  直接外装を触る事が出来るので、高齢者、障害者、調理に不慣れな人でも安心して調理が行なえる。
【図面の簡単な説明】
【図１】本考案の断面図である。
【符号の説明】
１．    外装  断熱材  渦電流を発生せず、断熱効果の高い素材
２．    内装  合金    渦電流を発生する金属
【図１】
0003105084.tif 000003
(57)【要約】【課題】  この考案は、固形肥料を棒状に加工して、先端を尖らし地中に打込み易くした肥料杭である【解決手段】  肥料を固形化し、棒状に加工して、先端を尖らし地中に深く打込み易くして、肥料成分が雑草等に吸収されないようにした。【選択図】  図１
0003105012.tif 000002
【実用新案登録請求の範囲】
【請求項１】
固形肥料を棒状にし先端を尖らした肥料
【考案の詳細な説明】
【考案の詳細な説明】
この考案は、固形肥料を棒状にし、先端を尖らし土壌へ打ち込むもので、肥料成分が、少しづつ分解し、溶出して、酸素の供給量  及び好気性微生物の多量の繁殖  嫌気性微生物を減少  消滅させるための堆肥  肥料の有効  効率的供給方法である。
従来は、肥料を土表面に散布する方法が多い。これは土表面からの浸透度が少ないので、根先まで肥料が届かない。更に雑草に多量の栄養分  肥料成分を吸収されているので無駄な習慣、方法である。
従って、この習慣を改良し肥料の有効成分を１００％効率的に浸透性を期待した画期的な考案と確信する。
【図面の簡単な説明】
【図１】 
【符号の説明】
１は杭
【図１】
0003105012.tif 000003
【手続補正書】
【提出日】平成16年6月29日(2004.6.29)
【手続補正１】
【補正対象書類名】明細書
【補正対象項目名】全文
【補正方法】変更
【補正の内容】
【考案の詳細な説明】
【０００１】この考案は、固形肥料を棒状にし、土中深く圧入する方法に関するものである。
【背景技術】
【０００２】従来は、肥料を土表面に散布する方法が主であり、雑草に多量の肥料成分を吸収されている。
【考案が解決しょうとする課題】
【０００３】本考案は、従来の施肥欠陥を改善する為に、固形肥料を製作して土の中の深い部分の無数の根に１００％の肥料を施肥補給する事により前述の欠点を解決しょうとするものである。
【課題を解決するための手段】
【０００４】本考案は、固形肥料の先端を加工し、掘削した土に圧入し易く方法によって、土壌改良、施肥の問題点を解決している。
【考案の効果】
【０００５】上述の様に、本考案の固形肥料の土中深く施肥する作業は従来の様に土表面に散布する方法と異なり、肥料の成分を植物の根深く浸透するのでその効果は１００％で、施肥の持続効果は土壌の改良に甚大である。
【考案の実施するための最良の形態】
【０００６】固形肥料を棒状に加工して、掘削した穴に圧入する方法は、土中深く施肥が可能となり、その肥料成分を補給する事となり、施肥の持続効果を可能にする最良の形態である。
【実施例】
【０００７】以下、実施例を説明する。杭本体、固形肥料を適当な長さ４０ＣＭにして、切断し、掘削穴にこの固形肥料杭を圧入した。【０００８】固形肥料杭を掘削した穴に圧入された後  実験の結果この方法により施肥された植物は他の植物に比較してその相違、効果は一目瞭然として明確に確認された。【０００９】本考案の事例は上述の如き構成、手順から進められるものであります。
長い土壌改良の作業、試行錯誤の結果  固形肥料に到達致した所以であり、考案の開示をした理由があります。
画期的な考案と確信するものであります。
【図面の簡単な説明】
【００１０】
【図１】  杭本体の断面図
【符号の説明】
【００１１】  １は杭
(57)【要約】【課題】送りネジ機構を設けた押付け動作をする電動シリンダにおいて、ストローク端に衝突あるいは押付け動作した際に、かみ込み／食い込みによるネジの固着を防止する。【解決手段】ヘッド部カバー５に衝撃吸収部材６を取付け、送りネジ軸２が電気信号によって回転駆動する回転モータ２５によって回転させたとき、送りネジナット２４を介してマグネットホルダ９が衝撃吸収部材６に衝突させた際、衝撃吸収部材６を摩擦抵抗の差により回転させネジの固着を防止する。【選択図】図１
0003105013.tif 000002
【実用新案登録請求の範囲】
【請求項１】
送りネジと、電気信号によって回転する駆動源と、回転運動を直線運動に変換する手段を有し、回転／直線運動による回転トルクと、直線推力による食い込みを低減する手段を有する送り機構。
【請求項２】
請求項１において、食い込みを低減する手段がストッパに設けられている送り機構。
【請求項３】
請求項２における食い込み低減手段が回転ベアリングである送り機構。
【請求項４】
請求項２における食い込み低減手段がすべりベアリングである送り機構。
【請求項５】
請求項２における食い込み低減手段が摩擦を低減する潤滑手段である送り機構。
【考案の詳細な説明】
【技術分野】
【０００１】
本考案は、電気信号によって回転駆動する回転モータを送りネジ機構により回転運動を直線運動に変換し、かつ案内によって直線方向、回転方向に規制し、外部のワーク等を移動もしくは仕事により、押付けするアクチュエータに用いられる送り機構に関する。
【背景技術】
【０００２】
モータ等の回転駆動源の回転作用下に回転する送りネジ軸の外周面に刻設されたネジ部に金属製又は樹脂製からなるナット部材が螺合された送りネジが用いられている。
そして、ナット部材の回転方向に対する動作を規制することにより、前記送りネジの回転運動をナット部材の直線運動に変換して前記ナット部材を軸線方向に変位させることができる。
【０００３】
しかし、送り機構は、送りネジ部分、ガイド部分、カップリング部分等に回転方向や直線方向に隙間もしくは弾性変形することが少なからず存在する。すると摺動、変形しながら回転、直線運動すると接触摩擦のため、かみ込み、食い込みによって想定以上のトルクを加えないと起動できなくなる恐れが発生する。
【０００４】
この改善策として、ボールネジを使用し摩擦でなく転がり運動に変える方法がある。しかしながらこの方法だと送り機構全体が高価となりのリード角を大きくする方法がある。しかしながら、リード角を大きくすると、減速比が低くなりでアクチュエータの推力が減少してしまう。
【特許文献１】特開２００１−１８７９５３号公報
【考案の開示】
【考案が解決しようとする課題】
【０００５】
解決しようとする問題点は、押付けするアクチュエータにおいて回転力と直線方向によるかみこみ／食い込みを生じさせる過大な摩擦力が発生する点である。
【課題を解決するための手段】
【０００６】
本考案は衝撃吸収部材の固着を防止することによって、衝撃吸収部材の変形による抵抗トルクを衝撃吸収部材本体もしくは移動子との接触面の摩擦係数を大きくし、衝撃吸収部材に嵌合されている側の面の摩擦係数を小さくすることによって衝撃吸収部材が回転し固着を防止する。
【考案の効果】
【０００７】
すべりネジに関わらず多少なりとも摩擦力を発生する送りネジで駆動する場合において終端，始端でのネジの噛み込みによる固着状態から低回転力で開放することができる。
【考案を実施するための最良の形態】
【０００８】
ストッパ部に回転ベアリングを併設して回転方向に摩擦となるトルクを低下させるものである。
【０００９】
ストッパ部にプラスチック等のフレームベアリングを併設して同様の効果を得るものである。
【００１０】
ストッパとボディ間に適切なグリース等の潤滑手段によって摩擦によるトルクを低下させるものである。
【実施例１】
【００１１】
図１において、参照符号６及び１０は、本考案の実施の形態に係る衝撃吸収部材を示す。
【００１２】
実施形態に示す電動シリンダは、基本的には、長尺に形成されたフレーム２１と、フレーム２１の一端部側に接続されたプレート１９にモータ２５を設け、タイミングベルト２０で回転駆動を伝達しフレーム２１内部に軸支された送りネジである送りネジ３とフレーム２１の内周に摺接し送りネジ３によって変位する移動子１とを備える。
【００１３】
ここで、モータ２５によって回転軸２８が回転するとタイミングベルト１７を介して送りネジ軸１３ｂに伝達され送りネジ軸１３ｂが回転することにより移動子１がナット固定ホルダ７及び送りネジナット１３ａと共に所定方向に移動する。
【００１４】
このとき、ナットホルダ９がロッド部カバー５に嵌合されている衝撃吸収部材６に接触し移動子１が停止するが、送りネジ軸２と送りネジナット２４との摩擦力によりネジが固着してしまう。
【００１５】
さらにこの状態のまま反対方向に移動子１が移動したとき回転駆動力が固着状態から開放するのに瞬間的には数十倍のトルクが必要だが、図３に示す潤滑材３０に塗布しさらに面Ｄを高摩擦係数になるよう凹凸形状にすることにより接触面Ｄと接触面Ｅの摩擦抵抗に差により衝撃吸収部材６が回転しネジの固着が開放される。
【００１６】
図２の実施例は、ハウジングに取付けたスイッチによって、左右いずれからでも入力できるので、例えば文書の左端から入力する場合は左端の側端部に、右端まで入力する場合は右端の側端部に各々切替えて使用する。副走査の精度を確保するためには、ハウジングの接紙条件の良いことが要となるので、この切替え機能はハンドスキャナの操作性向上と入力対象の拡大におおいに役立つ。
【産業上の利用可能性】
【００１７】
送りネジ機構を設けた電動シリンダにおいて、ストローク端に衝突した際に、ネジの固着を低回転力で開放することができる。
【図面の簡単な説明】
【００１８】
【図１】本考案の実施の形態に係る電動シリンダの断面図である。（実施例１）
【図２】本考案の実施形態に係る電動シリンダの平面図である。（実施例２）
【図３】本考案の実施形態に係る電動シリンダの衝撃吸収部材部拡大図である。（実施例３）
【図４】本考案の実施形態に係る電動シリンダのフレーム断面図である。（実施例４）
【符号の説明】
【００１９】
１    移動子
２    送りネジ軸
３    止め輪
４    ダストシール
５    ヘッド部カバー
６    衝撃吸収部材
７    ウエアリング
８    止めネジ
９    ナットホルダ
１０    衝撃吸収部材
１１    軸受け
１２    ボルト
１３    テンション調整ボルト
１４    プーリ
１５    プーリ固定用止めネジ
１６    カバー
１７    プーリ固定用止めネジ
１８    プーリ
１９    折返しプレート
２０    タイミングベルト
２１    フレーム
２２    ボルト
２３    ロックナット
２４    ボールネジナット
２５    モータ
２６    スイッチ溝
２７ａ、２７ｂ、２７ｃ    センサ取付け溝
２８    回転軸
３０    潤滑材
【図１】
0003105013.tif 000003
【図２】
0003105013.tif 000004
【図３】
0003105013.tif 000005
【図４】
0003105013.tif 000006